(57)【要約】      （修正有）【課題】少量の加圧容積で効果を表わす膨出部の袋体の構造を提供する。【解決手段】指圧、マッサージ、リラクゼーション装置の膨出部を人力の加減圧器で圧迫と馳緩をさせる膨出部の構造に於て、軟質のビニールシートを二枚重ね加減圧器と連通する通気孔を設け、施療部の輪郭に沿って熔着し、その内側に通気時に期待する膨らみの高さに対応する間隔で二枚のシートを貫通する熔着孔を穿ち装着時の接触をよくする。【選択図】図３ａ
2011036555.tif 000002
【特許請求の範囲】
【請求項１】
指圧、マッサージ、リラクゼーション装置の膨出部を人力の加減圧器で圧迫と馳緩をさせる膨出部の構造に於て、軟質のビニールシートを二枚重ね加減圧器と連通する通気孔を設け、施療部の輪郭に沿って熔着し、その内側に通気時に期待する膨らみの高さに対応する間隔で二枚のシートを貫通する熔着孔を穿ち装着時の接触をよくする構造。
【請求項２】
指圧のツボを押す圧力を他の膨出部より大きくし指圧効果を高めるため基板シートに突起物をつけツボ押し突起物先端の押圧を増加する構造。
【発明の詳細な説明】
【技術分野】
【０００１】
長時間狭い座席に座ることで足の静脈中に血流の塊が出来、それが心臓や肺、さらに脳に達して死につながるとされるエコノミーシンドロームと呼ばれる血行障害や、内臓脂肪型肥満のメタボリックシンドローム、或いは高齢者の生活習慣病の予防のために、リハビリテーション、ウオーキング、指圧、マッサージ等が行われ、機能回復のための機器が提供されている。本発明はこれらの症状の予防と回復を目的としたものである。
【背景技術】
【０００２】
前記のような症状回復の目的で空気圧の圧迫と馳緩を応用した装置は（先行技術文献）（特許文献５）図１a(下肢部用)図１b（腕用）に示すものなどある。（先行技術文献）（特許文献２）にはエアーマットの膨張、収縮の速度（インターバル）と圧力が血行促進や筋肉の硬直防止におよぼす影響について述べられている。
【０００３】
障害者であっても運動可能な部分が残っている場合が多い。完全自動の機器によって運動可能な部分をしようしないことは運動可能な部分の退化を進めるのみで、運動をさせることで、その部分の健康を維持するだけでなく、障害をうけている部分の或る程度の機能の回復に役立つとの発表もある（非特許文献４）日本経済新聞２００６−９−２４、脳とリハビリの関係探る。（非特許文献５）西日本新聞社、担当者床波昌雄氏。福岡大学病院東洋医学診療部長  向野美人  対談「リフレクソロージ」その他。
【先行技術文献】
【特許文献】
【０００４】
【特許文献１】特許  第３４１３１０５号  公報
【特許文献２】特公平８−２４７００号    公報
【特許文献３】特開２００５−１６８６１３号  公報
【特許文献４】特開２００３−２２０１０６号  公報
【特許文献５】特開平１０−１９２３５４号    公報
【非特許文献】
【０００５】
【非特許文献１】静脈血栓塞検症            出典：  フリー百科事典  ウィキペディア（Wikpedia）
【非特許文献２】メタボリックシンドローム            出典：  フリー百科事典  ウィキペディア（Wikpedia）
【非特許文献３】ツボ健康百科    主婦と生活社              東京健康づくり  東洋療法センター長  芹澤  勝助著
【非特許文献４】日本経済新聞  ２００６−９−２８  朝刊              「脳とリハビリ関係探る」日本福祉大学教授  久保田  競
【非特許文献５】「リフレク  ソロージ」西日本新聞社  担当  床波昌雄            福岡大学病院  東洋医学診療部長  向野  美人    対談
【発明の概要】
【発明が解決しようとする課題】
【０００６】
以上述べた症状を治療するため、空気圧により膨出する空気袋に電動ポンプと切換弁により給気により患部を圧迫し排気により弛緩させる電動式が主流であるが狭い範囲の患部用として人力による加圧と排気による弛緩のものとが提案されている。以下その問題点を記し本発明で課題を解決するための手段を述べる。
【０００７】
従来の装置の問題点を下記に記す。
「問題点―１」
電動ポンプと切換弁により、給気で加圧、排気で弛緩を自動制御するものは、電波や電磁波障害、騒音、空気汚染に対する制約のために使用する場所が限定される。
「問題点―２」
使用する人は、年齢、性別、体力、知識、体形、症状など多様であるためこれに対応する制御は複雑となり、高価となるだけでなく、使用者にとっては面倒な操作を要求される。
「問題点―３」
複雑な自動制御のため構成する部品も多く、装置のミスで重大な事故を起した例もある。（例えば排気弁がロックしたまま給気が続けられた）
「問題点―４」
使用される地域は広汎で且つ分散されるので、複雑な構造では充分な指導や点検は行い難い。
【課題を解決するための手段】
【０００８】
以上の問題点を考慮し電動方式でなく、使用者本人が操作する人力装置とした。この場合の最大の問題点は膨出させる空気袋と連通する加減圧器の送風容量が小さいこと。空気袋を巻掛ける患部は複雑な曲面で個人差も大きいことなどで、送風容量の限界内で効果的な空気袋うを作ることであった。
【０００９】
上記「０００８」のための第一の手段として加減圧器の容量に対し膨出用空気袋の容積を小さくすること、並びに患部に巻掛は易いために「図２b」「図２a」に示す軟質の薄いビニールシートを重ね、高周波ウエルダーによって輪郭部を熔着しその内部に熔着貫通孔を穿ち薄い膨出部を作っている。
【００１０】
更に第二の手段として、患部に巻掛けた膨出部空気袋の接触が出来るだけ良い事が望ましいので空気袋に「図４a」「図４b」の３ｂ・３ｃに示すように３aの隣接熔着貫通孔との間隔に差をつけることで膨出時の膨らみに差が出るように考慮している。
【００１１】
尚、第三の手段としては「０００８」の構造のために例えば「図１３a」「図１３b」
のような複雑な展開輪郭の膨出部空気袋の装置も容易に製作することが出来前記「００１０」との組合せで人力による加減圧器装置に効果が大である。
【００１２】
指圧とマッサージ、リラクゼーションは、各々その患部に対する圧力の加え方が異なる。指圧はツボ押しであり、他は比較的広い範囲の血流と筋肉こりをほぐすもので、加圧のインターバル（サイクルタイム）も各々異なるが本発明は使用者本人が心地よい程度で操作するので特別の装置は必要ないが、ツボを押す力は他の部分と著しく異なるので「図５a」「図５ｂ」の１５に示す基盤に１４の突起物を取付け突起の先端が患部のツボ部に接するようにし基板の背面を膨出袋体によって圧迫させることでツボ部の押圧を増幅させている。
【００１３】
使用者の体形の個人差、使用目的、製作の難易、加減圧器の容量などを考慮し「非特許文献３」ツボ健康百科を参考にして装置を「図１２」のA・B・Cに区分して製作しているが、区分は任意である。
【発明の効果】
【００１４】
装置の膨出部の空気袋と連通する人力加減圧器に予圧を与え密封した装置内の空気の移動のみであるから、装置外との給、排気は全くないので空気汚染や騒音などは発生しない。
【００１５】
完全な人力操作であるから周辺機器や人員に対し電波や電磁波の障害を起さないので使用場所の制約を受けない。
【００１６】
軽量小形で形態が容易で既設の家具、交通機関や作業用椅子或いは車椅子などにも手軽に使用出来る。
【００１７】
使用者本人が適当な予圧を与え密封後送風容積が限定された人力加減圧器を操作し更に体に接触しないところは拘束されていないために操作ミスによる圧力超過の危険は起らない。
【００１８】
構造が単純で保守点検も容易であり使用者自身の運動可能な部分で加減圧器を操作するため「非特許文献４」「非特許文献５」の主旨の達成も期待される。
【００１９】
材料は普辺化されたもので使用する材料の種類も少なく、加工設備も一般化されている高周波ウエルダーと簡単な金型のみで特種な技術を必要とせず周辺の環境を害することもなく製造原価も安価である。
【図面の簡単な説明】
【００２０】
【図１ａ】従来品の下肢部マッサージ装置の１例
【図１ｂ】従来品の腕部マッサージ装置の１例
【図２ａ】本発明使用の膨出部空気袋の膨張時X-X断面矢視図の見取図
【図２ｂ】本発明使用の膨出部図２aの平面図の例
【図３ａ】請求項１の下肢部用「図３ｂ」に装着した空気袋の展開見取図
【図３ｂ】請求項１の下肢部用装置の装着見取図
【図４ａ】請求項１の腕部「図４ｂ」用空気袋の展開図の例
【図４ｂ】請求項１の腕部用の見取図（腕挿入の図は詳略）
【図５ａ】請求項２、特定のツボ部に強い指圧効果を与える目的の補助具
【図５ｂ】請求項２、特定のツボ部に強い指圧効果を与える補助具の取付図
【図６ａ】圧迫と馳緩を人力で行う人力加減圧器の例の見取図
【図６ｂ】圧迫と馳緩を人力で行う人力加減圧器の例の見取図
【図７】「非特許文献ツボ健康百科」の背面のツボの位置
【図８】「非特許文献ツボ健康百科」の腹面のツボの位置
【図９】「非特許文献ツボ健康百科」の下肢部の表、裏のツボの位置
【図１０】「非特許文献ツボ健康百科」の足底部のツボの位置
【図１１】「非特許文献ツボ健康百科」の腕部の表と裏のツボの位置
【図１２】「非特許文献ツボ健康百科の分布よりA・B・Cの部位に区分した例
【図１３ａ】図１２のA部の肩用装置の膨出部袋体の展開図
【図１３ｂ】図１２のA部の肩用装置の装着見取図
【図１４ａ】図１２のB部装置の平面見取図の例
【図１４ｂ】図１２のB部装置の装着時の背面見取図の例
【図１４ｃ】図１２のB部装置の装着時の腹部見取図の例
【発明を実施するための形態】
【００２１】
以下本発明の実施の形態を図１aから図１４cに基づいて説明する。
【００２２】
「図１a」、「図１b」は給排気ポンプとコントローダー、減圧、加圧弁などを使用し給気することで圧迫し排気することで馳緩させる従来形を示している「特許文献５」同じ目的の本発明の図３a、図３b、図４a、図４bと対比するために示したもの。
【００２３】
図２a〜図１４cの図において、「図２a」の１．２は圧迫と馳緩を行う装置本体の二枚のビニールシートであり、図中A−B−C−Dの太線は膨出部の空気袋の輪郭をウエルダーによって熔着した線を表わしている。この熔着線の表示は他の図では詳略。
前記輪郭線に囲まれたシートの一枚に外部と連通する通気管１８が取付けられており、人力加減圧器４と１７で接続している。１６は予圧弁である。３aは二枚のビニールシートを熔着で貫通させた孔の直径を示し、Pa、Pbはそれぞれ隣接する孔との間隔を示している。３b、３c、３dは４の加減圧器で加圧した時の膨らみの見取図で孔との間隔が大きい程「図２a」の３b、３c、３dに示すように膨らみは大きくなる。従って用途によって３aとPは任意に設定する。予圧が無い場合は薄い２枚のビニールシートの厚みのみで「図４ｂ」の内部に腕を通すなど容易となる。
【００２４】
前項に示した構造が基本で「図３a」「図４a」「図１３a」「図１４a」に示す平面図の例のような膨出空気袋を作り、患部に巻掛けて使用する。
【００２５】
平面的に形成した空気袋を使用者が装着する場合本発明品は伸縮性があり更に厚みが極度に薄いので比較的に装着斑は少ないが使用者の体形に個人差もあり人力加減圧器の容積に限界があるため個人差による調節を「図３a」「図４a」では装着時の結合部A-E・B-F・C-G・D-H部に「図１３a」「図１４a」では、１１a・１１ｃ・１１ｄのマジックテープ（登録商標）などで調整する。
【００２６】
特に強い刺激の加圧のツボには「図５a」「図５b」の１５に示す厚手のシートに使用者に合わせたツボの位置を印し、そのところに突起物１４を接着し、その背面を「図１４c」のように装着し、加減圧器４a,4ｂによって圧迫と馳緩を行うことで、指圧効果を高める。この方法は「図１３b」「図３b」「図４b」などにも使用している。
【００２７】
次に本装置の実施例を示す。
材料      空気袋.加圧器  軟質塩化ビニールシート  （国産、一般市販品）
硬度      ＃７００
厚さ      0.4ｍｍ
熔着条件
高周波    ウエルダー      足踏式  （国産  標準品）
出力            ４ｋｗ
最大圧力        ２５０ｋｇ
電極材料        黄銅      （標準規格品、市販）
【符号の説明】
【００２８】
１・２    気密で伸縮性のある軟質塩化ビニールシートなど
３a       二枚のシート１．２を重ねて高周波ウエルダーで穿った熔着貫通孔の孔径
３ｂ、３ｃ、３ｄ  二枚のシートの輪郭とその内部に穿った熔着貫通孔３aで囲まれた加減圧器４の通気で膨出した頂点。
４        人力加減圧器（空気袋とパイプ１８で連通）
４a・４b  膨出部空気袋の一部を人力加減圧器としたもの
５        人力加減圧器「図６」の熔着線
６        「図１２」の人体の臍（へそ）
７        空気袋を下肢部に拘束する組み紐用鳩目孔
８・９    組み紐で拘束時の接合線
１０      ツボ健康百科「非特許文献３」のツボの位置
１１a〜１１d  装着用マジックテープ（登録商標）
１２      「図１３a」「図１３b」の輪郭熔着による切断線
１３      「図１４a」腰部装置の２ヶ所の加減圧器４a、４b空気通路の分離線
１４      ツボ部に指圧効果を強めるため「図５a」「図５b」の突起物
１５      上記１４突起物を取付けるシート
１６      加減圧器４の給気弁
１７      加減圧器から膨出空気袋に連通する連通孔
１８      加減圧器と膨出空気袋との連通パイプ
１９      加減圧器と膨出空気袋との連通孔
２０      使用者の身体
【図１ａ】
2011036555.tif 000003
【図１ｂ】
2011036555.tif 000004
【図２ａ】
2011036555.tif 000005
【図２ｂ】
2011036555.tif 000006
【図３ａ】
2011036555.tif 000007
【図３ｂ】
2011036555.tif 000008
【図４ａ】
2011036555.tif 000009
【図４ｂ】
2011036555.tif 000010
【図５ａ】
2011036555.tif 000011
【図５ｂ】
2011036555.tif 000012
【図６ａ】
2011036555.tif 000013
【図６ｂ】
2011036555.tif 000014
【図７】
2011036555.tif 000015
【図８】
2011036555.tif 000016
【図９】
2011036555.tif 000017
【図１０】
2011036555.tif 000018
【図１１】
2011036555.tif 000019
【図１２】
2011036555.tif 000020
【図１３ａ】
2011036555.tif 000021
【図１３ｂ】
2011036555.tif 000022
【図１４ａ】
2011036555.tif 000023
【図１４ｂ】
2011036555.tif 000024
【図１４ｃ】
2011036555.tif 000025